(57)【要約】【課題】  ユーザーが誰であるかを問わず、操作ミスを防止して、操作性の向上を図ることができるようにする。【解決手段】  操作用画面３を表示可能な表示部２を設けてある操作パネル装置であって、表示部を、操作メニュー毎の複数の操作メニュー画面１７〜２０を互いに異なる背景色で操作用画面としてカラー表示可能に設けてある。【選択図】        図２
2006201585.tif 000002
【特許請求の範囲】
【請求項１】
操作用画面を表示可能な表示部を設けてある操作パネル装置であって、
前記表示部を、操作メニュー毎の複数の操作メニュー画面を互いに異なる背景色で前記操作用画面としてカラー表示可能に設けてある操作パネル装置。
【請求項２】
前記複数の操作メニュー画面の各々が、前記背景色で表示されるメニュー選択用のタグ表示領域を備え、
前記表示部を、前記複数の操作メニュー画面を少なくともそれらのタグ表示領域が同時に表示されるように、表示可能に設けてある請求項１記載の操作パネル装置。
【請求項３】
操作用画面を表示可能な表示部を設けてある操作パネル装置であって、
画像形成装置におけるカラー画像形成モードと白黒画像形成モードとを択一的に選択操作可能な選択操作部を設け、
前記表示部を、前記カラー画像形成モードが選択されたときはその選択状態をカラー表示し、前記白黒画像形成モードが選択されたときはその選択状態を白黒表示する操作用画面を表示可能に設けてある操作パネル装置。
【請求項４】
操作用画面を表示可能な表示部を設けてある操作パネル装置であって、
画像形成装置における形成画像の印刷濃度を変更設定可能な濃度設定部を設け、
前記表示部を、前記濃度設定部で設定した印刷濃度を反映した形成画像のプレビュー画像を含む操作用画面を表示可能に設けてある操作パネル装置。
【請求項５】
操作用画面を表示可能な表示部を設けてある操作パネル装置であって、
前記表示部に表示されている操作用画面の表示倍率を変更操作可能な表示倍率変更操作部を設けてある操作パネル装置。
【発明の詳細な説明】
【技術分野】
【０００１】
本発明は、操作用画面を表示可能な表示部を設けてある操作パネル装置に関する。
【背景技術】
【０００２】
上記操作パネル装置は、操作用画面を表示可能な表示部を設けて、操作目的に応じた操作用画面を必要に応じて表示できるようにしてあるので、種々の操作を可能としながら、操作用ボタンやスイッチなどの数や配列を簡素化できる利点があるが、従来、操作性の向上を図るために、例えば、操作用画面をユーザーの好みに応じた配色パターンで表示部に表示できるように構成した操作パネル装置が提案されている（例えば、特許文献１参照）。
【０００３】
【特許文献１】特開２００４−２００９５５号公報
【発明の開示】
【発明が解決しようとする課題】
【０００４】
上記従来の操作パネル装置は、操作用画面の見易さがユーザー個々の事情や好みに応じて異なる点に着目して、ユーザー毎の操作性の向上を個別に図るために、ユーザー毎に固有の配色パターンで操作用画面を表示できるように構成したものであり、ユーザーが誰であるかを問わず操作ミスを防止できるように格別工夫して、操作性の向上を図るものではない。
本発明は上記実情に鑑みてなされたものであって、ユーザーが誰であるかを問わず、操作ミスを防止して、操作性の向上を図ることができるようにすることを目的とする。
【課題を解決するための手段】
【０００５】
本発明の第１特徴構成は、操作用画面を表示可能な表示部を設けてある操作パネル装置であって、前記表示部を、操作メニュー毎の複数の操作メニュー画面を互いに異なる背景色で前記操作用画面としてカラー表示可能に設けてある点にある。
【０００６】
〔作用及び効果〕
表示部を、操作メニュー毎の複数の操作メニュー画面を互いに異なる背景色で操作用画面としてカラー表示可能に設けてあるので、ユーザーは、表示部にカラー表示されている操作メニュー画面の背景色を見ることで、その操作メニュー画面に対応する操作メニューを直感的に認識することができるようになり、ユーザーが誰であるかを問わず、操作メニューを選択するための操作ミスを防止して、操作性の向上を図ることができる。
【０００７】
本発明の第２特徴構成は、前記複数の操作メニュー画面の各々が、前記背景色で表示されるメニュー選択用のタグ表示領域を備え、前記表示部を、前記複数の操作メニュー画面を少なくともそれらのタグ表示領域が同時に表示されるように、表示可能に設けてある点にある。
【０００８】
〔作用及び効果〕
操作メニュー毎の複数の操作メニュー画面の各々が、各操作メニュー画面に対応する背景色で表示されるメニュー選択用のタグ表示領域を備え、表示部を、これら複数の操作メニュー画面を少なくともそれらのタグ表示領域が同時に表示されるように、表示可能に設けてあるので、ユーザーは、表示部に同時にカラー表示されている複数のタグ表示領域の色を見ることで、各タグ表示領域に対応する操作メニュー画面の操作メニューを直感的に認識することができるようになり、ユーザーが誰であるかを問わず、操作メニューをタグ表示領域で選択するための操作ミスを防止することができる。
【０００９】
本発明の第３特徴構成は、操作用画面を表示可能な表示部を設けてある操作パネル装置であって、画像形成装置におけるカラー画像形成モードと白黒画像形成モードとを択一的に選択操作可能な選択操作部を設け、前記表示部を、前記カラー画像形成モードが選択されたときはその選択状態をカラー表示し、前記白黒画像形成モードが選択されたときはその選択状態を白黒表示する操作用画面を表示可能に設けてある点にある。
【００１０】
〔作用及び効果〕
画像形成装置におけるカラー画像形成モードと白黒画像形成モードとを択一的に選択操作可能な選択操作部を設け、その選択状態を表示部に表示するにあたって、表示部を、カラー画像形成モードが選択されたときはその選択状態をカラー表示し、白黒画像形成モードが選択されたときはその選択状態を白黒表示する操作用画面を表示可能に設けてあるので、ユーザーは、選択状態を表示する操作用画面が表示部にカラー表示されたときは、カラー画像形成モードを選択したことを直感的に認識することができ、また、白黒表示されたときは、白黒画像形成モードを選択したことを直感的に認識することができるようになり、ユーザーが誰であるかを問わず、カラー画像形成モード又は白黒画像形成モードを選択するための操作ミスを防止して、操作性の向上を図ることができる。
【００１１】
本発明の第４特徴構成は、操作用画面を表示可能な表示部を設けてある操作パネル装置であって、画像形成装置における形成画像の印刷濃度を変更設定可能な濃度設定部を設け、前記表示部を、前記濃度設定部で設定した印刷濃度を反映した形成画像のプレビュー画像を含む操作用画面を表示可能に設けてある点にある。
【００１２】
〔作用及び効果〕
画像形成装置における形成画像の印刷濃度を変更設定可能な濃度設定部を設け、その形成画像の印刷濃度を事前に確認できるように、表示部を、濃度設定部で設定した印刷濃度を反映した形成画像のプレビュー画像を含む操作用画面を表示可能に設けてあるので、ユーザーは、表示部に表示された操作用画面のプレビュー画像を見て、実際の印刷濃度が適切か否かを精度良く判断することができ、ユーザーが誰であるかを問わず、形成画像を印刷するための操作ミスを防止して、操作性の向上を図ることができる。
【００１３】
本発明の第５特徴構成は、操作用画面を表示可能な表示部を設けてある操作パネル装置であって、前記表示部に表示されている操作用画面の表示倍率を変更操作可能な表示倍率変更操作部を設けてある点にある。
【００１４】
〔作用及び効果〕
表示部に表示されている操作用画面の表示倍率を変更操作可能な表示倍率変更操作部を設けてあるので、ユーザーは、個々の視力に応じた表示倍率で操作用画面を見ることができ、ユーザーが誰であるかを問わず、操作用画面の操作ミスを防止して、操作性の向上を図ることができる。
【発明を実施するための最良の形態】
【００１５】
以下に本発明の実施の形態を図面に基づいて説明する。
図１，図２は、コピー機能，プリンタ機能，スキャナ機能及びファクシミリ機能等を兼ね備えた複合機（画像形成装置の一例）に装備してある本発明による操作パネル装置Ａを示し、画像処理を実行させる際の操作入力を行うための操作部１と、操作用画面３をカラー表示可能な液晶表示部２とを設けてある。
【００１６】
そして、操作パネル装置Ａによって設定した設定入力に応じた制御プログラムを実行する制御部４を設けて、各機能に応じたハードデイスク装置５やスキャナ部６，画像形成部７，用紙搬送部８などの動作を制御するとともに、液晶表示部２の表示動作を制御するように構成してあり、また、原稿載置部（図外）に載置された原稿をスキャナ部６で読み取って、読み取った画像データをハードデイスク装置５に記憶する制御プログラムを実行できるように構成してある。
【００１７】
前記操作部１には、印刷実行指示を入力するためのスタートキー９や印刷部数等を入力するためのテンキー１０、操作部１で設定された設定内容をリセットするリセットキー１１、実行中の画像処理を停止させるためのストップキー１２、コピー機能，プリンタ機能，スキャナ機能及びファクシミリ機能を切り換えるための機能切換キー群１３、カラー画像形成モードと白黒画像形成モードとを択一的に選択操作可能な画像モード選択キー（選択操作部の一例）１４などを備えている。
【００１８】
前記液晶表示部２は、表示した操作用画面３を操作可能な操作手段としてのタッチパネル機能を備え、画像処理を実行していない待機中において初期画面１５を表示するために、例えばコピー機能に切り換えてある場合は、図２に示すように、コピー用の操作用画面３として、コピー可能であることを表示する機能表示画面１６と、操作メニュー毎の複数の操作メニュー画面１７，１８，１９，２０とを互いに異なる背景色でカラー表示可能に設けてある。
【００１９】
前記操作メニュー画面１７〜２０の各々は、対応する背景色で表示されるメニュー選択用のタグ表示領域１７ａ，１８ａ，１９ａ，２０ａを備え、液晶表示部２は、操作メニュー毎の複数の操作メニュー画面１７〜２０を、少なくともそれらのタグ表示領域１７ａ〜２０ａが同時に表示されるように、カラー表示可能に設けてある。
【００２０】
つまり、基本操作メニューに対応する背景色が黄色の基本操作メニュー画面１７と、ユーザー選択操作メニューに対応する背景色が緑色のユーザー選択操作メニュー画面１８と、画像処理機能選択操作メニューに対応する背景色が青色の機能選択操作メニュー画面１９と、画像処理の実行プログラム選択操作メニューに対応する背景色が赤色のプログラム選択操作メニュー画面２０とを、基本操作メニュー画面１７の全体がそのタグ表示領域１７ａと共に表示した状態で、ユーザー選択操作メニュー画面１８と機能選択操作メニュー画面１９とプログラム選択操作メニュー画面２０の各タグ表示領域１８ａ〜２０ａが同時に表示されるように設けてある。
【００２１】
前記基本操作メニュー画面１７には、用紙サイズを設定するための用紙サイズ設定部２１と、コピー倍率を設定するための倍率設定部２２と、印刷濃度を設定するための濃度設定部２３などを設けてあり、倍率設定部２２の拡大・縮小キー２４をタッチ操作することによって所望のコピー倍率に設定できると共に、濃度設定部２３の濃度設定キー２５をタッチ操作することによって所望の印刷濃度に設定できるように構成してある。
【００２２】
前記制御部４は、カラー画像形成モードが選択されたときは、機能表示画面１６をカラー表示することによってその選択状態を表示し、白黒画像形成モードが選択されたときは、機能表示画面１６を白黒表示することによってその選択状態を表示するように液晶表示部２の表示動作を制御すると共に、タッチされたタグ表示領域１７ａ〜２０ａに対応する操作メニュー画面１７〜２０の全体が表示されるように液晶表示部２の表示動作を制御するように構成してある。
【００２３】
また、制御部４は、原稿載置部に載置してある原稿を読み取ってその画像データをハードデイスク装置５に記憶してある状態で、濃度設定キー２５によって印刷濃度を設定すると、ハードデイスク装置５に記憶してある画像データを使用して、図３に示すように、その設定した印刷濃度を反映した形成画像（印刷画像）のプレビュー画像２６が表示されるように、液晶表示部２を制御するとともに、液晶表示部２に表示されている操作用画面３の表示倍率を変更操作可能な表示倍率変更操作部２７を設定倍率表示部２８で構成して、設定倍率表示部２８をタッチすると、図４に示すように、表示領域を拡大して表示倍率が大きい拡大設定倍率表示画面２９が表示されるように、液晶表示部２を制御するように構成してある。
【００２４】
〔その他の実施形態〕
１．本発明による操作パネル装置は、操作用画面に表示してあるカーソルをマウスで移動させて、操作用画面を操作できるように構成してある操作手段や、操作部に設けてある操作ボタンで操作用画面を操作できるように構成してある操作手段を設けてあっても良い。
２．本発明による操作パネル装置は、表示部を、操作メニュー毎の複数の操作メニュー画面の全体を互いに異なる背景色で操作用画面として同時にカラー表示可能に設けてあっても良い。
３．本発明による操作パネル装置は、カラー画像形成モードと白黒画像形成モードとを択一的に選択操作可能な選択操作部を、表示部に表示した操作用画面に設けてあっても良い。
４．本発明による操作パネル装置は、濃度設定部を操作用画面の表示部以外の操作部に設けてあっても良い。
５．本発明による操作パネル装置は、表示部に表示されている操作用画面の表示倍率を変更操作可能な表示倍率変更操作部を、操作用画面の表示部以外の操作部に設けてあっても良い。
６．本発明による操作パネル装置は、コピー機能やプリンタ機能，スキャナ機能，ファクシミリ機能などのうちの何れか一つの機能を備えた画像形成装置に装備するものであっても良い。
７．本発明による操作パネル装置は、画像形成装置以外の各種機器、例えば電子レンジや冷蔵庫，洗濯機などに装備するものであっても良い。
【図面の簡単な説明】
【００２５】
【図１】操作パネル装置を説明するためのブロック図
【図２】表示部（操作用画面）の説明図
【図３】プレビュー画像の表示状態を示す説明図
【図４】拡大表示画面の表示状態を示す説明図
【符号の説明】
【００２６】
２  表示部
３  操作用画面
１４  選択操作部
１７  操作メニュー画面
１７ａ  タグ表示領域
１８  操作メニュー画面
１８ａ  タグ表示領域
１９  操作メニュー画面
１９ａ  タグ表示領域
２０  操作メニュー画面
２０ａ  タグ表示領域
２３  濃度設定部
２６  プレビュー画像
２７  表示倍率変更操作部
【図１】
2006201585.tif 000003
【図２】
2006201585.tif 000004
【図３】
2006201585.tif 000005
【図４】
2006201585.tif 000006